(57)【要約】【課題】  重量物を収容した状態で多数段積み重ねても下段の段ボール箱の胴部に不規則な胴膨れの発生を抑制できるラップラウンド型段ボール箱を提供する。【解決手段】  一対の立面板（１，２）と一対の平面板（３，４）との間の４本の折目線（Ｌ１〜Ｌ４）のそれぞれと平行な直線状の押罫部（ｘ１〜ｘ４）を各立面板内に一対ずつ有していて、前記４本の折目線（Ｌ１〜Ｌ４）との間に狭幅帯状変形誘導帯域（Ａ１）を形成しており、各直線状の押罫部の両端部（ｐ１とｐ１、ｐ２とｐ２）と、各立面板の両端側の段目に平行な各折目線（Ｌ）との間に広幅帯状の強度維持帯域（Ａ２）を形成していることを特徴とするラップラウンド型段ボール箱。【選択図】  図１
2014125241.tif 000002
【特許請求の範囲】
【請求項１】
連設されている一対の立面板（１，２）と一対の平面板（３，４）のそれぞれ間の折り曲げ部を形成する段目に直交する４本の折目線（Ｌ１〜Ｌ４）と平行する限定された長さの直線状の押罫部（ｘ１〜ｘ４）が、各折目線の長さ方向中央領域において各立面板内に一対ずつ形成されていて、
前記４本の折目線（Ｌ１〜Ｌ４）と前記直線状の押罫部の間に狭幅帯状の立面板変形誘導帯域（Ａ１）が形成されているとともに、
前記各一対の直線状の押罫部の相対する両端部（ｐ１とｐ１、ｐ２とｐ２）の間を結ぶ仮想線（ｙ）と、各立面板とそれらの両端に連設されている端面閉鎖用内外フラップとの間の折り曲げ部を形成している段目に平行な各折目線（Ｌ）との間に広幅帯状の強度維持帯域（Ａ２）が形成されていることを特徴とする、ラップラウンド型段ボール箱。
【請求項２】
前記各狭幅帯状の立面板変形誘導帯域（Ａ１）の横幅（ｍ１）が、前記各立面板（１，２）における隣接する平面板（３，４）とを分ける一対の折目線間（Ｌ１−Ｌ２，Ｌ３−Ｌ４）の距離（ｍ２）の「０．０４５±０．００５」倍で、前記各広幅帯状の強度維持帯域における前記仮想線（ｙ）と前記段目に平行な折目線（Ｌ）間の幅（ｎ１）が、各立面板における前記段目に平行な一対の折目線間（Ｌ−Ｌ）の距離（ｎ２）の「０．２±０．０５倍」であることを特徴とする、請求項１記載のラップラウンド型段ボール箱。
【請求項３】
前記仮想線ｙ、ｙの部分に対応する段ボールシートの裏面側ライナのみに線状の押罫加工が施されていることを特徴とする、請求項１又は２に記載のラップラウンド型段ボール箱。
【発明の詳細な説明】
【技術分野】
【０００１】
本発明は、積重ね荷重が加わった際に胴膨れの抑制が可能なラップラウンド型段ボール箱に関する。
【背景技術】
【０００２】
飲料ペットボトルや飲料缶、その他の様々な商品を包装し、輸送、保管するために、天板と底板、一対の側板が折り曲げ用罫線を介して連設されている段ボールシートを収容する商品群等を巻き込むように各罫線より順次折り曲げ、当接する天板と側板を糊代部で接合して周壁を形成し、両側板から延出する内フラップに天板及び底板から延出する外フラップを折り重ねて接合して両側面を閉鎖するラップラウンド（ラップアラウンド）型段ボール箱が使用されている。
【０００３】
このような段ボール箱の場合、商品を収容して封緘した状態で多段に積み重ねて保管していると、段積み下部の段ボール箱が積載荷重で押し潰されて、天板、底板、両側板の面に不規則な胴膨れが発生して商品価値が損なわれたり、積み重ねた段ボール箱の崩落が発生したりする場合がある。
【０００４】
このような不規則な変形防止対策として、以下のようなラップラウンドケースが提案されている。
折目線が形成されている段ボール製のブランクの折目線に従って折り曲げることにより、互いに対向する一対の長さ面と、互いに対向する一対の幅面と、互いに対向する天面及び底面を有する直方体の箱に形成される包装箱であって、各長さ面の上端縁の折目線は、該折目線の両側に平行に２本の折目線が形成された部分である複合折目線部を所定間隔で複数備え、各長さ面の下端縁の折目線は該折目線の両側に平行に２本の折目線が形成された部分である複合折目線部を所定間隔で複数備え、各長さ面の上端縁の折目線の複合折目線部と、該長さ面の下端縁の折目線の複合折目線部とが、該長さ面の長さ方向に沿って交互に存在するラップアラウンドケース（特許文献１）。
ラップラウンドケースの一方の平面板又は双方の平面板と両立面板の間の各陵部に傾斜した（折れ曲がった）２本の罫線を繰り返して配設し、これらの罫線に沿って二枚の板材を折り曲げるようにして形成されており、積上荷重が作用したとき、傾斜した２本の罫線の折曲角が変化して高さ方向の変形が吸収され、胴膨れが抑制されるラップラウンドケース（特許文献２）。
【０００５】
また、平面板と立面板の陵部をなす境界部分に、段ボールの裏側から、折り曲げの中央となる一本の押罫線と、これに対してずれた平行な二本の押罫線とを交互に入れると共に、これらに挟まれた半切の切目を入れ、段ボールの表側から、裏側の平行な二本の押罫線に沿って平行な二本の連続押罫線を入れ、各押罫線に沿って立面板と平面板とを折り曲げて形成される段ボール箱（特許文献３）、周壁をなす側板の底部側又は頂部側の陵部に該稜部となる稜線を基底として対称形の三角波状の押罫による座屈誘導線を設けたもの（特許文献４）等も提案されている。
【０００６】
他に、ラップアラウンド式の包装箱における一対の立面板内に、該立面板の外周縁に沿って平行に形成された略四角形の枠の押罫からなる座屈誘導枠線を設け、さらに、前記立面板の外周縁の各角部から近接する座屈誘導枠線の各コーナー部まで延びる押罫の補助誘導線を設けた段ボール箱が提案されている（特許文献５）。
【先行技術文献】
【特許文献】
【０００７】
【特許文献１】特開２０１２−３０８３４号公報
【特許文献２】特開２００４−５９００１号公報
【特許文献３】特開２０１２−３５８８３号公報
【特許文献４】特開２００５−６７６９８号公報
【特許文献５】特開２０１１−２４０９４１号公報
【発明の概要】
【発明が解決しようとする課題】
【０００８】
特許文献１〜５の段ボール箱は、いずれも積上荷重により立面板に生起する胴膨れを目立たせず、ある程度抑制に効果を有するものであるが、段ボール箱の稜部に形成される押罫の本数が多すぎるか形状が複雑すぎるものであるので、よりシンプルな形状の押罫線を有するだけで外観が損なわれる不規則な胴膨れを防止できる段ボール箱が望まれている。
【０００９】
本発明は、ラップラウンド（ラップアラウンド）型段ボールの立面板と平面板を区分する各折り曲げ部（稜部）から所定距離離れた立面板内の箇所に、各折り曲げ部に平行（段目に直交する方向）に延びる特定の長さの押罫線を設ける、という、製造が容易な押罫加工のみで積上荷重による胴膨れの抑制が可能なラップラウンド型の段ボール箱を提供することを目的とするものである。
【課題を解決するための手段】
【００１０】
本発明者らは、ラップラウンド型段ボール箱における一対の立面板と一対の平面板のそれぞれを分けている陵部となる折り曲げ部を形成するための折目線のそれぞれから所定距離離れた立面板内の所定箇所に、段ボールシートの段目に直交する方向に延びる直線状押罫部を限定された長さで形成するという簡単な加工を施すことにより、積み重ね荷重（段積荷重）による段ボール箱の変形を立面板の上下の陵部近傍の限定された箇所に誘導して立面板に不均一な胴膨れが発生することを防止することができること、また、箱自体の強度を損なうこともないことを見出し、以下の各発明をなすに至ったものである。
【００１１】
（１）連設されている一対の立面板（１，２）と一対の平面板（３，４）のそれぞれ間の折り曲げ部を形成する段目に直交する４本の折目線（Ｌ１〜Ｌ４）と平行する限定された長さの直線状の押罫部（ｘ１〜ｘ４）が、各折目線の長さ方向中央領域において各立面板内に一対ずつ形成されていて、
前記４本の折目線（Ｌ１〜Ｌ４）と前記直線状の押罫部の間に狭幅帯状の立面板変形誘導帯域（Ａ１）が形成されているとともに、
前記各一対の直線状の押罫部の相対する両端部（ｐ１とｐ１、ｐ２とｐ２）の間を結ぶ仮想線（ｙ、ｙ）と、各立面板とそれらの両端に連設されている端面閉鎖用内外フラップとの間の折り曲げ部を形成している段目に平行な各折目線（Ｌ）との間に広幅帯状の強度維持帯域（Ａ２）が形成されていることを特徴とする、ラップラウンド型段ボール箱。
【００１２】
（２）前記各狭幅帯状の立面板変形誘導帯域（Ａ１）の横幅（ｍ１）が、前記各立面板（１，２）における隣接する平面板（３，４）とを分ける一対の折目線間（Ｌ１−Ｌ２，Ｌ３−Ｌ４）の距離（ｍ２）の「０．０４５±０．００５」倍で、前記各広幅帯状の強度維持帯域における前記仮想線（ｙ）と前記段目に平行な折目線（Ｌ）間の幅（ｎ１）が、各立面板における前記段目に平行な一対の折目線間（Ｌ−Ｌ）の距離（ｎ２）の「０．２±０．０５倍」であることを特徴とする、（１）項に記載のラップラウンド型段ボール箱。
【００１３】
（３）前記仮想線ｙ、ｙの部分に対応する段ボールシートの裏面側ライナのみに線状の押罫加工が施されていることを特徴とする（１）項又は（２）項に記載のラップラウンド型段ボール箱。
【発明の効果】
【００１４】
本発明のラップラウンド型段ボール箱は、ボトル入り飲料や缶入り飲料等の商品を収容した状態で運搬、保管、陳列のために多段に積み重ねた際に、下段側の段ボール箱の立面面板に胴膨れが発生するような段積荷重がかかった場合であっても、最初に段ボール箱の前記一対の立面板内の上下の狭幅帯状の変形誘導帯域が潰れると同時に仮想線（ｙ、ｙ）に沿って折目が発生し、前記狭幅帯状の変形誘導帯域（Ａ１）と前記広幅帯状の強度維持帯域（Ａ２）に囲まれた略長方形状の部分が僅かに外側に膨れることで不規則な胴膨れを防止する。
【００１５】
また、前記広幅帯状の強度維持帯域は段目が上下方向となっていて潰れ難い状態であり、隣接する端面閉鎖フラップ部分も内外フラップを折り重ねて貼り合わされていて強度の高い面であるので、協働して立面板が大きく潰れてしまうように変形することを確実に防止する。
【図面の簡単な説明】
【００１６】
【図１】本発明のラップラウンド型段ボール箱のブランクシートを示す図である。
【図２】図１のブランクシートを組み立てた段ボール箱の外観を示す図である。
【図３】通常の押罫部を形成した段ボール箱に発生する胴膨れ状態を示す図（ア）と、段積荷重を吸収した本発明のラップラウンド型段ボール箱の状態を示す図（イ）である。
【図４】本発明のラップラウンド型段ボール箱の段積荷重を吸収した状態を示す図である。
【発明を実施するための形態】
【００１７】
以下、本発明のラップラウンド型段ボール箱の具体的な構造とそれによって奏する作用効果について添付図面の図１〜図４を参照して説明する。
【００１８】
図１は、本発明のラップラウンド型段ボール箱のブランクシートＢを示す図である。ブランクシートＢは、糊代部（継代部）５−第１立面板１−底面側となる第１平面板３−第２立面板２−天面側となる第２平面板４が折目線Ｌ１〜Ｌ４を介して順次連設されている構造である。
【００１９】
底面側となる第１平面板３の両端部には折目線Ｌを介して外フラップ３ａ，３ａが連設され、天面側となる第２平面板４の両端部には折目線Ｌを介して外フラップ４ａ，４ａが連設されている。
【００２０】
また、第１立面板１の両端部には折目線Ｌを介して内フラップ１ａ，１ａが連設され、第２立面板２には折目線Ｌを介して外フラップ２ａ，２ａが連設されている。
【００２１】
第１立面板１には、第１立面板１と糊代部５の間の折り曲げ部を形成する折目線Ｌ１の近傍に、該折目線Ｌ１に平行な直線状の押罫部ｘ１が形成されている。この押罫部ｘ１は、その両端部ｐ１、ｐ１が、第１立面板１とそれに連設されている段ボール箱の両端面を閉鎖する内フラップ１ａ，１ａとの間の折目線Ｌから所定の距離をおいた立面板１内に位置するような長さで第１立面板１内に形成されており、隣接する第１平面板３との間の折目線Ｌ２側にも、該折目線Ｌ２に平行な直線状押罫部ｘ２が直線状押罫部ｘ１と同一長さで対称位置に形成されている。
【００２２】
第２立面板２にも、第２立面板２と第１平面板３の間の折り曲げ部を形成する折目線Ｌ３の近傍に、該折目線Ｌ３に平行な直線状の押罫部ｘ３が形成されている。この押罫ｘ３は、その両端部ｐ２、ｐ２が、第２立面板２とそれに連設されている段ボール箱の両端面を閉鎖する内フラップ４ａ，４ａとの間の折目線Ｌから所定の距離をおいた第２立面板２内に位置するような長さで第２立面板１内に形成されており、隣接する第２平面板４との間の折目線Ｌ４側にも、該折目線Ｌ４に平行な直線状押罫部ｘ４が直線状押罫部ｘ３と同一長さで対称位置に形成されている。
【００２３】
前記したように、第１立面板１と第２立面板２に対称配置となるように直線状押罫部ｘ１とｘ２、ｘ３とｘ４を形成することにより、第１立面板１には、直線状押罫部ｘ１とｘ２と、折り曲げ部となる折目線Ｌ１との間に狭幅帯状の変形誘導帯域Ａ１が形成されている。
また、直線状押罫部ｘ１とｘ２の両端部（ｐ１、ｐ１）と（ｐ２、ｐ２）から、第１立面体１の両端の内フラップ１ａ，１ａ側の折目線Ｌ，Ｌとの間には、直線状押罫部ｘ１とｘ２の相対する端部ｐ１とｐ２間を結ぶ仮想線ｙ、ｙと、両端のうちフラップ側の折目線Ｌ，Ｌとの間に強度維持帯域Ａ２が形成されている。
【００２４】
上記狭幅帯状の変形誘導帯域Ａ１は段ボールシートの段目に直交する方向に延びている部分であるが、押罫部ｘ１〜ｘ４によって段ボールシートが段目に直交する方向に押し潰されているので、天面側からの荷重に抗する強度がなく、該狭幅帯状の変形誘導帯域（Ａ１）が段積荷重等が加わると優先的に潰れる結果、両立面体にかかる段目方向の圧力による立面体の変形が吸収される。
【００２５】
また、上記強度維持帯域Ａ２は、天面側の第２平面板４から底面側の第１平面板３の方向に立面板部分の段ボールシートの段目が延びているので、天面側からの荷重に対して立面板が変形し難い強度を有する帯域となっているし、段ボール箱の両端面が内外フラップを貼り合わせて形成されている高強度の閉鎖部が隣接していることにより、前記狭幅の変形誘導帯域が潰れた場合であっても、立面板に大きな不均一な変形が生じないような形状保持機能を発揮する。
【００２６】
さらに、立面板内に上記配置状態の一対の押罫線ｘ１，ｘ２とｘ３，ｘ４を設けている点には、以下のような変形誘導帯域Ａと強度維持帯域Ａ２を形成している本発明のラップラウンド型段ボール箱は、段積荷重による前記狭幅変形誘導帯域Ａ１に潰れが発生した状態となった後に、立面板の板面が、外観に悪影響を与えることのない僅かな高さで、断面形状台形に均一に変化して、さらに大きな荷重が加わった場合でも外観に悪影響を与えないという技術的意義もある。
【００２７】
立面体１，２における前記両端のフラップとの間の折線Ｌ，Ｌは段ボールシートの段目に平行は折線であるので、立面体に形成されている上下一対の押罫線ｘ１とｘ２の相対する両端部ｐ１−ｐ２間を結ぶ仮想線ｙ、ｙも段ボールシートの段目に平行している部分である。段ボールシートは段目に沿って折れ曲がりやすいので、両立面板は上記仮想線ｙ、ｙの部分に沿って折れ曲がりやすい。
【００２８】
図４に示すように、段積荷重によって段ボール箱の前記変形誘導部Ａ１に潰れが生じた後、前記強度維持帯域Ａ２にさらに大きな負荷が懸かった状態となると、仮想線ｙ、ｙに挟まれている立面板の中央の矩形領域（ｘ１−ｙ−ｘ２−ｙ−ｘ１）が断面台形状に外方向に均一に膨らんで、強度維持帯域Ａ２にかかる圧力を逃すことができる。
【００２９】
このように外側に膨出する箇所は僅かな高さであり、立面板の外観に悪影響を与えることはない。
また、台形状の膨出部の形状をメリハリのある台形状に形成して外観をさらに良くするために、前記仮想線ｙ、ｙに対応する段ボールシートの裏面側のライナーのみに、仮想線ｙ、ｙに沿って立板面が外方に折れ曲がりやすくなる線状の潰し（押罫）加工を施すことも効果的である。
【００３０】
前記変形誘導帯域Ａ１の幅（折目線Ｌ１〜Ｌ４のそれぞれと、押罫線ｘ１〜ｘ４のそれぞれの間の距離）は、段ボール箱のサイズや段ボールシートの種類によってある程度変化するが、一般的には、前記各狭幅帯状の立面板変形誘導帯域（Ａ１）の横幅（ｍ１）が、前記各立面板（１，２）における隣接する平面板（３，４）とを分ける一対の折目線間（Ｌ１−Ｌ２，Ｌ３−Ｌ４）の距離（ｍ２）の「０．０４５±０．００５」倍程度で、前記各広幅帯状の強度維持帯域における前記仮想線（ｙ）と前記段目に平行な折目線（Ｌ）間の幅（ｎ１）が、各立面板における前記段目に平行な一対の折目線間（Ｌ−Ｌ）の距離（ｎ２）の「０．２±０．０５倍」程度であることが好ましい。
【００３１】
立面板変形誘導帯域Ａ１の幅が上記数値範囲より狭いと変形誘導が不十分となって立面板に不規則な胴膨れが発生することが多くなる傾向があるし、逆に広くすると、強度維持帯域Ａ２への圧力が増してこの帯域での胴膨れに起因して立面板面が不規則に変形することが多くなる傾向がある。
また、立面板変形誘導帯域Ａ１の長さを長くして強度維持帯域Ａ２の幅を前記の数値範囲より狭くすると、変形誘導帯域Ａ１による初期的な変形吸収効果は増すが、強度維持帯域Ａ２の強度が不足してその後の変形抑制機能が不十分となり、収容商品にダメージを与えるおそれが出てくるし、逆に、強度維持帯域Ａ２の幅を広げすぎると、変形誘導帯域Ａ１による初期変形防止機能が不十分となる。
【００３２】
以上のように、立面板変形誘導帯域Ａ１の幅と強度維持帯域Ａ２のそれぞれの幅を規定する前記数値範囲を満たすラップラウンド段ボール箱であることが、立面板における初期変形誘導機能と強度維持機能をバランスさせるために好適である。
【００３３】
図２は、図１のブランクシートから飲料ボトルＤを収容した状態で組み立てられ、封緘された状態の本発明のラップラウンド型段ボール箱の外観を示す図（ア）と、その内部の飲料ボトルＤの収容状態を示す模式図（イ）である。
【００３４】
図１のブランクシートから図２のラップラウンド型段ボール箱の組み立ては、図１のブランクシートの底面側となる第１平面板３に、例えば飲料ボトルＤ群を図２に示すように配置し、該飲料ボトルＤ群を囲むように折目線Ｌ１〜Ｌ４により第１立面板１、第２立面板２、第２平面板４を折り上げて、天面側の第２平面板の側縁部に糊代部５を接合し、次いで、両端面を内フラップ１ａ，２ａと外フラップ３ａ，４ａを折り重ね、接合閉鎖して図２の（ア）の外観を呈するラップラウンド段ボール箱の組み立てが完了する。
【００３５】
容器Ｄ群を収容して組み立てられたラップラウンド段ボール箱の場合、保管場所や展示場所で段積された状態では最下段の段ボール箱の天面に大きな段積荷重がかかることとなるが、折り曲げ部に通常の折目線が形成されているだけの段ボール箱の場合は図３（ア）に示すように立面板が外方に膨らむ「胴膨れ」が発生することが多い。
【００３６】
段ボールブランクシートの一対の立面板内における、該一対の立面板と一対の平面板を分ける折目線Ｌ１〜Ｌ４に平行する直線状の押罫部を図１に示す状態に形成している本発明のラップラウンド段ボール箱の場合は、図３（イ）に示すように、箱体に段積荷重がかかった状態で、両立面板１，２における前記上下の狭幅帯状の変形誘導帯域Ａ１，Ａ１に優先的な潰れが発生して立面板の変形を吸収し、立面体に胴膨れが発生することを防止する。また、その後は、両端側折り曲げ部に形成される強度維持帯域Ａ２が、高強度の両端面の閉鎖構造部と協働してより以上の箱体の変形を防止して立面板面に不規則に胴膨れが発生することを防止する。
【００３７】
因みに、図１のブランクシートとして、４００ｍｍ×２７０ｍｍ×２１０ｍｍ（Ｈ）のラップラウンド型段ボール箱用のブランクシートを製造し、５００ｍｌ飲料プラスチックボトル２４本を収容して梱包質量１３．５ｋｇのラップラウンド型段ボール箱を組み立て、この段ボール箱を３段棒積みし、さらに最上段の段ボール箱上に１２３ｋｇ錘を載せて積載荷重を負荷し、下記ように経時での変形の発生程度を観察した結果は以下のとおりであった。
【００３８】
３段棒積みした状態で、３０℃、５０％ＲＨで１９時間予熱処理し、３０℃、８０％ＲＨ環境下で７２時間静置後に、最下段の段ボール箱の前後左右の胴膨れ量と、３段分の高さ段積高さの変位を観察した。立面板１、２に目立った胴膨れは目視では確認されなかった。
【産業上の利用可能性】
【００３９】
本発明の段ボール箱は、重量のある商品を収容して封緘した状態で多数段に積み重ねて長期間保管したり、高温多湿の環境下で積み重ねて保管したりすることが求められる飲料容器等の商品包装用の段ボール箱として極めて有用であり、特に、商品包装箱として、胴周りに不均一な変形が僅かでも発生することを嫌う商品の包装用として有用である。
【符号の説明】
【００４０】
１，２：立面板
３，４：平面板
５：糊代部（継ぎ代部）
１ａ，２ａ：内フラップ
３ａ，４ａ：外フラップ
Ｌ、Ｌ１〜Ｌ４：折目線
ｐ１〜ｐ４：押罫部端部
ｘ１〜ｘ４：直線状押罫部
ｙ：仮想線
Ａ１：狭幅帯状の変形吸収帯域
Ａ２：広幅帯状の強度維持帯域
Ｂ：ブランクシート
【図１】
2014125241.tif 000003
【図２】
2014125241.tif 000004
【図３】
2014125241.tif 000005
【図４】
2014125241.tif 000006